(57)【要約】【課題】ドアの厚み寸法が増加する場合にも対応でき、組み付け作業を簡単に行うことができると共に、構造が簡単で、コストの削減を図ることができる明かり採り窓を提供する。【解決手段】明かり採り窓１００は、ドア等の取付対象物に設けられた貫通孔に装着され、側面に２つの矩形孔１３が設けられた筒部１２と、該筒部１２の一端に設けられたフランジ部１１とを有する本体部材１０と、本体部材１０の内側に保持され、透光性材料から形成される窓部材２０と、本体部材１０の内側に装着され、本体部材１０の矩形孔１３に嵌合して該矩形孔１３から突出する係合部３２を有し、径方向に弾性変形可能な押さえ部材３０とを備え、ドア等の取付対象物に設けられた貫通孔に取り付ける際に、係合部３２が貫通孔の内面に圧着し、本体部材１０を固定するようになされている。【選択図】図１
2010203056.tif 000002
【特許請求の範囲】
【請求項１】
ドアの表裏に貫通する貫通孔に装着され、筒部と該筒部の一端に設けられたフランジ部とを有する本体部材と、前記本体部材の内側に保持され、透光性材料から形成される窓部材とを備える明かり採り窓において、
前記筒部の側面に少なくとも１つの開孔が設けられ、
前記筒部の開孔に嵌合して該開孔から突出する係合部を有し、径方向に弾性変形可能な押さえ部材が前記筒部の内側に設けられ、
前記ドアの貫通孔に取り付ける際に、前記係合部が前記貫通孔の内面に圧着し、前記本体部材を固定することを特徴とする明かり採り窓。
【請求項２】
前記押さえ部材は、開口を有するリング状に形成され、円周上に少なくとも１つの係合部を有することを特徴とする請求項１に記載の明かり採り窓。
【請求項３】
前記押さえ部材は、円周上の２つの対向する部分を直線部とするリング状に形成され、前記直線部の外側に係合部が突設されることを特徴とする請求項１に記載の明かり採り窓。
【請求項４】
前記係合部の外周面には、少なくとも１つの鋸歯状の爪部が形成されていることを特徴とする請求項１乃至請求項３のいずれかに記載の明かり採り窓。
【発明の詳細な説明】
【技術分野】
【０００１】
本発明は、室内の点灯等を確認するために、ドア等の取付対象物に装着される明かり採り窓に関する。
【背景技術】
【０００２】
従来、トイレ等の扉において、在室中であるか否かを判断する方法として、扉に明かり採り窓を取り付けることで、室内の点灯を確認する手段が一般的に用いられている。
【０００３】
例えば、明かり採り窓として、雄ねじが刻まれた内筒体と、雌ねじが刻まれた外筒体と、透光性の窓部材とからなり、扉に設けた貫通孔に両側から内筒体と外筒体を差し込み螺合させる構造となっている（例えば、特許文献１参照）。
【０００４】
しかし、特許文献１に記載の構成は、ドア等の扉の厚さ変化に対応できる範囲が限られている。また、ドア等の扉に取り付けるのに手間がかかるという問題点があった。
【０００５】
上記問題点を解決するために、ドアの厚み寸法が増加する場合にも対応でき、組み付け作業を簡単に行えるドア用小窓が提案されている（例えば、特許文献２参照）。
【０００６】
この場合、ドア用小窓は、ドアパネルの装着穴に装着されるホルダーと、該ホルダーで支持される窓板とを備え、ホルダーは、装着穴の周縁壁で受け止められるフランジと、該フランジの片面から突設されて、装着穴に差し込み係合される複数の弾性係合片とから構成される。
【先行技術文献】
【特許文献】
【０００７】
【特許文献１】実開平６−６５５９６号公報
【特許文献２】特許第４０６８５０８号公報
【発明の概要】
【発明が解決しようとする課題】
【０００８】
しかしながら、特許文献２に記載のドア用小窓は、ドアの厚み寸法が増加する場合にも対応でき、組み付け作業を簡単に行えるものであるが、複数の弾性係合片の強度が低く、折れやすいという欠点があった。
【０００９】
また、形状が複雑で、成型する際に、金型等の製作コストが高いという問題点があった。
【００１０】
そこで、本発明は、このような問題点を考慮してなされたもので、ドアの厚み寸法が増加する場合にも対応でき、組み付け作業を簡単に行うことができると共に、構造が簡単で、コストの削減を図ることができる明かり採り窓を提供することを目的とする。
【課題を解決するための手段】
【００１１】
上記課題を解決するため、本発明に係る明かり採り窓は、ドアの表裏に貫通する貫通孔に装着され、筒部と該筒部の一端に設けられたフランジ部とを有する本体部材と、前記本体部材の内側に保持され、透光性材料から形成される窓部材とを備える明かり採り窓において、前記筒部の側面に少なくとも１つの開孔が設けられ、前記筒部の開孔に嵌合して該開孔から突出する係合部を有し、径方向に弾性変形可能な押さえ部材が前記筒部の内側に設けられ、前記ドアの貫通孔に取り付ける際に、前記係合部が前記貫通孔の内面に圧着し、前記本体部材を固定することを特徴とするものである。
【００１２】
例えば、前記押さえ部材は、開口を有するリング状に形成され、円周上に少なくとも１つの係合部を有する。
【００１３】
また例えば、前記押さえ部材は、円周上の２つの対向する部分を直線部とするリング状に形成され、前記直線部の外側に係合部が突設される。
【００１４】
また例えば、前記係合部の外周面には、少なくとも１つの鋸歯状の爪部が形成されている。
【発明の効果】
【００１５】
本発明によれば、明かり採り窓は、ドアの表裏に貫通する貫通孔に装着され、筒部と該筒部の一端に設けられたフランジ部とを有する本体部材と、本体部材の内側に保持され、透光性材料から形成される窓部材とを備え、筒部の側面に少なくとも１つの開孔が設けられ、筒部の開孔に嵌合して該開孔から突出する係合部を有し、径方向に弾性変形可能な押さえ部材が筒部の内側に設けられ、ドアの貫通孔に取り付ける際に、係合部が貫通孔の内面に圧着し、本体部材を固定することで、ドアの厚み寸法が増加する場合にも対応でき、組み付け作業を簡単に行うことができると共に、構造が比較的簡単で、コストの削減を図ることができる。また、頑丈で壊れにくい。
【００１６】
また、押さえ部材は、開口を有するリング状に形成され、円周上に少なくとも１つの係合部を有するものを用いるため、径方向の弾性変形を簡単に実現でき、かつ変形により形成した押さえ力で貫通孔の内面に圧着し、本体部材を固定することができる。
【００１７】
また、押さえ部材は、円周上の２つの対向する部分を直線部とするリング状に形成され、前記直線部の外側に係合部が突設されるものを用いるため、より大きな押さえ力を形成することができる。
【００１８】
また、押さえ部材において、係合部の外周面には、少なくとも１つの鋸歯状の爪部が形成されていることで、本体部材を確実に固定し、脱落を防止することができる。
【図面の簡単な説明】
【００１９】
【図１】第１の実施の形態の明かり採り窓１００の構成を示す分解図である。
【図２】明かり採り窓１００の構成を示す断面図である。
【図３】本体部材１０の構成を示す側面図である。
【図４】押さえ部材３０の構成を示す平面図である。
【図５】第２の実施の形態の明かり採り窓２００の構成を示す断面図である。
【図６】押さえ部材３０Ａの構成を示す図である。
【図７】本体部材１０Ａの構成を示す側面図である。
【図８】押さえ部材３０Ｂの構成を示す図である。
【発明を実施するための形態】
【００２０】
以下、本発明に係る明かり採り窓を実施するための形態を、図を参照して説明する。
【００２１】
図１は、第１の実施の形態の明かり採り窓１００の構成を示す分解図である。図２は、明かり採り窓１００の構成を示す断面図である。図２において、明かり採り窓１００のドアのパネルＰに装着される状態を示している。図３は、本体部材１０の構成を示す側面図である。図４は、押さえ部材３０の構成を示す平面図である。
【００２２】
図１〜図４に示すように、明かり採り窓１００は、本体部材１０と、窓部材２０と、押さえ部材３０とを備える。
【００２３】
本体部材１０は、フランジ部１１と、筒部１２とを有し、フランジ部１１は、筒部１２の一端に設けられており、かつフランジ部１１と筒部１２が樹脂により一体に成型している。また、筒部１２の側面の対向する位置に２つの矩形孔１３が設けられている。なお、本体部材１０は樹脂以外の材料から形成するようにしてもよい。
【００２４】
筒部１２を取付対象物に、この例ではドアのパネルＰに設けられた貫通孔に挿入することができる。また、フランジ部１１は、ドアのパネルＰに設けられた貫通孔の周縁壁で受け止められる。
【００２５】
窓部材２０は、透光性材料、例えば透明または半透明のガラス又は樹脂材料等から形成され、本体部材１０の内側に保持される。窓部材２０の形状は、凸レンズ状または平板状とされる。窓部材２０の外縁部は本体部材１０の内側に設けられた段差部１４に嵌合することができ、これにより、窓部材２０が本体部材１０に固定される。
【００２６】
押さえ部材３０は、開口３１と、係合部３２とを有するリング状に形成される。また、開口３１を設けることで、押さえ部材３０が径方向に弾性変形することができる。また、開口３１は、押さえ部材３０を本体部材１０の内側に装着する際に、２つの係合部３２の外縁を本体部材１０の内径より小さくなるように、所定の幅ａに形成される。また、係合部３２は、筒部１２の外径より大きい外形を有する円弧としているので、押さえ部材３０を弾性変形させ筒部１２に嵌め込む際に、係合部３２は本体部材１０の矩形孔１３に嵌合し、係合部３２の先端は矩形孔１３から筒部１２の外周より外側に突出するようになされている。さらに、係合部３２の外周面はドアのパネルＰに設けられた貫通孔の径に対応する曲面で、この係合部３２の外周面には、少なくとも１つの鋸歯状の爪部３３が形成されている。この爪部３３を設けることで、明かり採り窓１００をドアのパネルＰに装着する際に、本体部材を確実に固定し、脱落を防止することができる。
【００２７】
また、押さえ部材３０の軸方向の厚みと径方向の厚みを設計することにより、押さえ力を調整することが可能である。
【００２８】
このように本実施の形態においては、明かり採り窓１００は、ドアのパネルＰに設けられた貫通孔に装着され、側面に２つの開孔１３が設けられた筒部１２と、該筒部１２の一端に設けられたフランジ部１１とを有する本体部材１０と、本体部材１０の内側に保持され、透光性材料から形成される窓部材２０と、本体部材１０の内側に装着され、本体部材１０の矩形孔１３に嵌合して該矩形孔１３から突出する係合部３２を有し、径方向に弾性変形可能な押さえ部材３０とを備え、ドア等の取付対象物に設けられた貫通孔に取り付ける際に、係合部３２が貫通孔の内面に圧着し、本体部材１０を固定するようになされている。
【００２９】
これにより、ドアのパネルＰの厚み寸法が増加する場合にも対応でき、組み付け作業を簡単に行うことができると共に、構造が比較的簡単で、コストの削減を図ることができる。また、頑丈で壊れにくい。
【００３０】
また、押さえ部材３０は、開口を有するリング状に形成され、円周上に少なくとも１つの係合部を有するものを用いるため、径方向の弾性変形を簡単に実現でき、かつ変形により形成した押さえ力で貫通孔の内面に圧着し、本体部材を固定することができる。
【００３１】
また、押さえ部材３０において、係合部３２の外周面には、少なくとも１つの鋸歯状の爪部３３が形成されていることで、本体部材を確実に固定し、脱落を防止することができる。
【００３２】
図５は、本発明の第２の実施の形態の明かり採り窓２００の構成を示す断面図である。図６は、押さえ部材３０Ａの構成を示す図である。図６（ａ）は、押さえ部材３０Ａの平面図であり、図６（ｂ）は、押さえ部材３０Ａの側面図である。図７は、本体部材１０Ａの構成を示す側面図である。図７（ａ）は、本体部材１０Ａの正面図であり、図７（ｂ）は、本体部材１０Ａの上から見た図である。
【００３３】
図５〜図７に示すように、明かり採り窓２００は、本体部材１０Ａと、窓部材２０Ａと、押さえ部材３０Ａとを備えるものである。なお、明かり採り窓２００において、本体部材１０Ａと押さえ部材３０Ａ以外は、上述した第１の実施の形態と同様の構成を有している。
【００３４】
本体部材１０Ａは、正方形のフランジ部１１Ａと、円筒形の筒部１２Ａとを有し、フランジ部１１Ａは、筒部１２Ａの一端に設けられており、かつフランジ部１１Ａと筒部１２Ａが樹脂により一体に成型している。また、筒部１２Ａの側面に１つの矩形孔１３Ａが設けられている。
【００３５】
筒部１２Ａを取付対象物に、この例ではドアのパネルＰに設けられた貫通孔に挿入することができる。また、フランジ部１１Ａは、ドアのパネルＰに設けられた貫通孔の周縁壁で受け止められる。
【００３６】
押さえ部材３０Ａは、開口３１Ａと、係合部３２Ａとを有するリング状に形成される。開口３１Ａを設けることで、押さえ部材３０Ａが径方向に弾性変形することができる。また、開口３１Ａは、押さえ部材３０Ａを本体部材１０Ａの内側に装着するために、所定の幅ｂに形成される。また、押さえ部材３０Ａが本体部材１０Ａに装着される際に、係合部３２Ａは本体部材１０Ａの矩形孔１３Ａに嵌合し、矩形孔１３Ａから突出するようになされている。また、係合部３２Ａの外周面には、少なくとも１つの鋸歯状の爪部３３Ａが形成されている。この爪部３３Ａを設けることで、明かり採り窓２００をドアのパネルＰに装着する際に、本体部材を確実に固定し、脱落を防止することができる。
【００３７】
また、第２の実施の形態の明かり採り窓２００は、上述した第１の実施の形態と同様の効果が得られる。
【００３８】
なお、上述実施の形態においては、押さえ部材３０、３０Ａとして、開口を有するリング状に形成されるものについて説明したが、これに限定されるものではない。例えば、開口を設けずに、径方向に弾性変形可能な押さえ部材を用いても良い。例えば、図８に示すような押さえ部材３０Ｂを用いても上述した第１、第２の実施の形態と同様の効果が得られる。
【００３９】
図８は、押さえ部材３０Ｂの構成を示す図である。図８に示すように、押さえ部材３０Ｂは、円周上の２つの対向する部分を直線部３４Ｂとするリング状に形成され、直線部３４Ｂに係合部３２Ｂが設けられる。ここで、直線部３４Ｂは円周上の２つの対向する弦となる。また、押さえ部材３０Ｂが図３に示すような本体部材１０に装着される際に、係合部３２Ｂは本体部材１０の矩形孔１３に嵌合し、矩形孔１３から突出するようになされている。また、係合部３２Ｂの外周面には、少なくとも１つの鋸歯状の爪部３３Ｂが形成されている。さらに、押さえ部材３０Ｂにおいて、係合部３２Ｂの両側に円弧状に形成されるため、係合部３２Ｂの強度を確保すると共に、押さえ部材３０Ｂを弾性変形させることが容易になる。
【００４０】
また、上述実施の形態においては、窓部材２０，２０Ａが本体部材１０，１０Ａの内側に設けられた段差部１４に嵌合することで、固定される構成としたが、これに限定されるものではない。例えば、窓部材２０，２０Ａが押さえ部材３０，３０Ａにより押さえられて固定されるようにしてもよい。
【００４１】
また、上述実施の形態においては、押さえ部材３０，３０Ａ，３０Ｂは、１つまたは２つの係合部が設けられるものとしたが、これに限定されるものではない。例えば、３以上の係合部を設けるようにしてもよい。この場合、本体部材の筒部に対応する数の矩形孔を設けることが必要である。
【００４２】
また、上述実施の形態においては、本体部材１０，１０Ａの筒部１２，１２Ａが円筒形であるものについて説明したが、これに限定されるものではない。例えば、角形の筒部にしてもよい。この場合、押さえ部材も角形のリング状に形成される。
【産業上の利用可能性】
【００４３】
この発明は、トイレ等の扉に設けて、在室中であるか否かを判断するために、室内の点灯を確認する明かり採り窓として、ドアの厚み寸法が増加する場合にも対応でき、組み付け作業を簡単に行う目的に利用できる。
【符号の説明】
【００４４】
１０，１０Ａ  本体部材
１１，１１Ａ  フランジ部
１２，１２Ａ  筒部
１３，１３Ａ  矩形孔
１４  段差部
２０，２０Ａ  窓部材
３０，３０Ａ，３０Ｂ  押さえ部材
３１，３１Ａ  開口
３２，３２Ａ，３２Ｂ  係合部
３３，３３Ａ，３３Ｂ  爪部
１００，２００  明かり採り窓
【図１】
2010203056.tif 000003
【図２】
2010203056.tif 000004
【図３】
2010203056.tif 000005
【図４】
2010203056.tif 000006
【図５】
2010203056.tif 000007
【図６】
2010203056.tif 000008
【図７】
2010203056.tif 000009
【図８】
2010203056.tif 000010